(57)【要約】      （修正有）【課題】引き出しても引き出してもねじれてこない巻き構造を有するハウスバンド、及びバンド線の引出し端を容易に取り出せるパッキングフィルムを提供する。【解決手段】バンド線をドーナツ形状に巻取った農業用ハウスバンドに於いて、巻取り始端を法線方向に突き出し、該始端の一方側と他方側へ交互に移行しながら同じ回転数ずつ振り分けて巻取った構造で成り、巻取り外周面から出ている前記巻取り始端２をして引き出す構造に構成する。更に、外周面を覆うパッキング包材４に、円周方向に延在する横ミシン目６を形成する。【選択図】図３
2016111966.tif 000002
【特許請求の範囲】
【請求項１】
長いバンド線をドーナツ形状に巻取った農業用ハウスバンドであって、巻取り始端を法線方向に突き出し、該始端の一方側と他方側へ交互に移行しながら同じ回転数ずつ振り分けて巻取った構造で成り、巻取り外周面から出ている前記巻取り始端をして引き出す構造に構成したことを特徴とする農業用ハウスバンド
【請求項２】
巻き始めから巻き終りまでの間を何層かに分け、層が変わる箇所で振り分け回転数を違えて巻き取った構造で成ることを特徴とする請求項1に記載の農業用ハウスバンド。
【請求項３】
外周面から出ている巻取り始端を取出す開口部を形成すべく外周面を覆うパッキングフィルムに、円周方向に延在する横ミシン目を１乃至複数本形成して構成したことを特徴とする請求項１または請求項２のいずれか一項に記載の農業用ハウスバンド。
【請求項４】
該横ミシン目に関連する縦ミシン目を形成して成ることを特徴とする請求項３に記載の農業用ハウスバンド。
【請求項５】
横ミシン目に関連した舌片切込みを形成して成ることを特徴とする請求項３または請求項４のいずれか一項に記載の農業用ハウスバンド。
【発明の詳細な説明】
【技術分野】
【０００１】
本発明は、農業用ビニールハウスのフィルムを押えるために使用されるハウスバンドの改良に関する。具体的には、マイカ線（石本マオラン社製）、リニアバンド（小山商事製）、ハウスベルトなどと称されるものに係り、グレードや用途、メーカーや販売会社などによって商品名が異なる。    
一般的には、数本のモノフィラメントやフラットヤーンを配して、3〜20ミリ幅、あるいはより広幅なものもあるが、薄いテープ状資材であり、多くはポリオレフィン系樹脂で成り、ビニールトンネルのシート押えや圃場での誘引用途、資材の結束用途など、係る農業分野で広く使用されている。
【０００２】
そして、これらのバンド線は長大な長さ単位でドーナツ形状に巻き取られ、その中心部に紙管などの芯材はなく中空であり、外周面をシュリンクフィルムなどのパッキングフィルムで覆われて流通している。
本発明は、係るハウスバンドが有する従来品の欠点を払拭するべく開発されたもので、全く新しい機能を有するハウスバンドを提供する。従って、本発明が属するカテゴリは農業分野で消費される農業用資材である。但し、当該分野以外の分野に持ち出されて使われることもある。
【背景技術】
【０００３】
長いものを巻いたもの、それを解くとねじれてくることはよく知られている。それを解決する関連技術として、８の字巻きが公知である。電線などを８の字を描くように重ねて巻取っておけば、その一端をして引き出す時、ねじれが累積してこないというものである。そして係る巻き方を具現化するための技術として、例示した技術文献が存在する。
これらは、主として巻取り装置に関する。回転する巻取りドラムに対して１回転毎に大きく左右にトラバースしながら巻き、巻き終えると、ドラムを分割して左右に分かれた巻き束をして８の字を描くような形態で取出す。こうすることで、解く際にねじれてこない線材の巻き構造が形成される。
【先行技術文献】
【特許文献】
【０００４】
【特許文献１】特開2009-274869号公報
【特許文献２】特開平8-208115号公報
【発明の概要】
【発明が解決しようとする課題】
【０００５】
図９で例示したように、従来からあるハウスバンド21は、巻き始め端22を内周面側に、巻き終り端23を外周面側にして、100〜500ｍなど非常に長い単位でドーナツ形状に巻取られた形態を成している。そして、図10に例示したように、バンド線が解けてこないようにシュリンクフィルムなどの包材24で覆い、結束バンド25で結束されている。
これら従来からあるハウスバンドでは、図10に図示したように、引き出して使用する際、次々とねじれ（よじれ）が生じてくる。このねじれはまったく不用であり、特別な回転台を使用するか、解消する方向へねじり返す手作業で対応せざるを得ない。経験すれば容易に理解できるが、その手間は非常に大きな負担になっている。
【０００６】
そこで、本発明は、引き出しても引き出してもねじれてこない巻き構造を有する新規なハウスバンドを開発して提案する。加えて、バンド線の引出し端を容易に取り出せるパッキングフィルムに係る構成についても提案し、総じて、作業の軽減に貢献せんとするものである。
尚、引き出してもねじれてこない８の字巻に関して述べるなら、８の字形態の物品は取扱いが不便であり、係る知見をして現実的な物品に適応させる研究を重ね、その結果、好ましい巻き構造を具現化するに成功して、本発明がなされたものである。
【課題を解決するための手段】
【０００７】
本発明は、バンド線をドーナツ形状に巻取った農業用ハウスバンドに於いて、巻取り始端を法線方向に突き出し、該始端の一方側と他方側へ交互に移行しながら同じ回転数ずつ振り分けて巻取った構造で成り、巻取り外周面から出ている前記巻取り始端をして引き出す構造に構成したことを特徴とする農業用ハウスバンドを提供する。
【０００８】
また、巻き始めから巻き終りまでの間を幾層かに分け、層が変わる箇所で振分け回転数を違えて巻き取った構造で成る農業用ハウスバンドを提供する。
更に、外周面にある巻取り始端を取出す開口部を形成し易くすべく外周面を覆うパッキング包材に、円周方向に延在する横ミシン目を形成して構成した農業用ハウスバンドを提供する。また、該横ミシン目に関連する縦ミシン目を形成したもの、舌片切込を形成したものなどを提案し、巻取り始端を取出す開口部を形成し易くした農業用ハウスバンドを提供する。
【発明の効果】
【０００９】
本発明に係る農業用ハウスバンドは巻取り始端をして引き出して使用するに、出しても出してもねじれてこない効果を奏する。より詳しく述べるなら、少しのねじれが発生しても、すぐに逆ねじれが生起されてくるので、結果的に解消されて累積することがない。
従って、農業分野で使用されるに、作業手間が大幅に軽減される。
また、パッキングフィルムに形成するミシン目や舌片切込に係る構成により、初回使用の際に、バンド線の取出し端となる前記巻取り始端を、格別の道具を必要とせずに手作業で取出せることができる。
【図面の簡単な説明】
【００１０】
【図１】は本願ハウスバンドを説明するための説明図
【図２】は本願ハウスバンドのパッキング状態を説明するための説明図
【図３】は本願ハウスバンドの使用状態について説明するための説明図
【図４】は本願ハウスバンドの取出し端について説明するための説明図
【図５】パッキングフィルムに形成したミシン目の形成例を説明するための説明図
【図６】はバンド線の巻取り開始時の状態を説明するための説明図
【図７】はバンド線の巻取り中の状態を説明するための説明図
【図８】はバンド線の巻取り要領を説明するための説明図
【図９】は従来品のハウスバンドを説明するための説明図
【図１０】は従来品の問題点を説明するための説明図
【発明を実施するための形態】
【実施例１】
【００１１】
図1乃至図3に基づいて本発明の実施例について説明する。
図中、１はハウスバンドを指し、２はバンド線の取出し端、３は巻き終り端である。前記取出し端２は後述する巻き工程との関連からすれば、バンド線を巻き始める巻き始め端でもあり、注目すべきは、ドーナツ形状を成す束の中程から法線方向に突き出している構成である。尚、前記取出し端２は巻き束の内周面から延在して外周面から露出している。
【００１２】
次に、図２についてであるが、本実施例では、図１の巻き束の外周面をパッキングフィルム４が覆い、更に十文字状に結束バンド５で結束されている。尚、結束バンド5による結束が不要なら無しにし、また必要ならパッキングフィルムに先立って結束バンドで結束し、その後からパッキングフィルム4で外包装することもある。更に、パッキングフィルム４についても、斯様な外包装を省いて、結束バンド5だけで束締めを終え、流通に供する変更例もある。
【００１３】
いずれにしても、少なくともバンド線の巻き終り端から解けてこないようにする必要がある。テープやラベルで止たり、前記したような外包装を施すのが常道であるが、防塵防汚の視点からも、好ましいのは図示した通り、外周面を覆うシュリンク包装である。そして、該シュリンク包装では取出し端２が目視できる透明フィルムを使用し、また、その場所だけ手で切り裂いて取出し口8が形成できるような加工を施しておくのが実用的である。例えば、図２ならびに図３に於いて、図中、６はフィルム４の円周方向に形成した横ミシン目である。また、７は横ミシン目６間を結ぶように形成した縦ミシン目である。そして、これらをして取出し口８が簡単に作れるように構成されている。即ち、取出し端２がある場所を見つけて、そこのミシン目を手で裂くことで取出し口8を形成する。尚、図示した取出し端２は、使用の最初はバンド線の巻き始め端であるが、次回の使用の際は継続するバンド線の先端であることは言うまでもない。
【００１４】
また、図４に於ける取出し端２は、折り曲げられてパッキングフィルム内に収納された場合の例を図示したものである。もともと突き出した状態にある取出し端２は、いろんな形態で収納することができる。パッキングフィルムで包装しない場合、包装する場合、十文字結束する場合、しない場合など、どのような組合せで実施例を構成するにしても、取出し端２をして簡単に取出せるような形態で納めるのが肝要である。
【実施例２】
【００１５】
次に、斯様な視点から工夫したパッキングフィルムについて図５に基づいて説明する。図中、６は前記した横ミシン目、７は縦ミシン目である。また、９は舌片形状を成した舌片切込を指している。そして、（a）は15〜50mm程度の間隔を隔てた２本の横ミシン目をパッキングフィルム４に形成した例、（ｂ）は更に20〜50mm程度毎に縦ミシン目７を付加して形成した例、（ｃ）は縦ミシン目に代えて舌片切込９を形成した例、更に（ｄ）は１本の横ミシン目に舌片切込９を関連づけて形成した例を図示している。こうした舌片切込９などは、指で摘んでミシン目６ならびに７を引き裂くに役立ち、必要に応じて形成すればよく、ミシン目６ならびに７の構成と同様に、これもまた作業負荷の軽減に貢献する。
【００１６】
次に、本発明ハウスバンドの巻取構造について、図６ならびに図７に基づいて説明する。
図６は巻き始めの状態を図示している。図７は巻き途中の状態を図示している。図中、12は矢印11の方向に回転する巻取りドラム13の回転軸を指している。尚、図６に於ける巻取りドラム13については、理解を容易にするために点線表示した。
そして、巻取りドラム13の回転に従って、後述するような手順でバンド線10を巻取り、本願ハウスバンドの巻き構造を形成する。尚、巻き終えた後は、常道通り、巻き束をドラム13から取出すことは言うまでもない。
一方、図示したバンド線10の巻き始め端２は、巻取りドラム13の周面に突き立てられた法線棒（図示せず）の先端で保持させている。図では巻き始め端２を少し折り曲げた状態で保持する例に従って図示したが、必ずしも折り曲げる必要はなく、また、巻き付けを完了して法線棒を撤去する際に、その先端から取り外す。
【００１７】
さて、図８についてであるが、図中、17は巻取りドラム13に於ける回転軸の原点マークを指す。また、図中、15は原点マークから次の原点マークまでの1回転を示す。更に、図中、16は前記原点マークの位置に関連して設置した前記法線棒を指す。従って、該法線棒16は、図面、左から右へと1回転毎に図示した原点マーク17に対応して図示している。次に、図中、14はバンド線10をトラバース案内する際の振幅を指す。図６ならびに図７によれば、バンド線10の幅に対して、束状に巻取る巻取り幅が広いので、該振幅14はそれに関連して定まることになる。
【００１８】
次は、図面の上下方向へ移行しながら左から右へと流れ表示した線図について説明する。この線図は、巻取り時にバンド線をトラバース案内ながら巻取り進行することをモデル化して表現したものである。具体的に説明すると、図面左端の法線棒に固定したところから巻き取り始め、巻取りの進行とともに、先ず法線棒10の下側へトラバース案内し、次いで２回転目の直前に法線棒16を越えて上方へ案内し、さらに3.6回転目あたりで法線棒16を越えて図面下方に案内し、・・・以下、同様にしてバンド線のトラバース案内を繰り返して巻取りすることを表現している。
尚、線図で上下に変動せずに停留している箇所は同じ位置を維持したまま巻き取ることを意味している。また、図示した範囲内では斯様な停留箇所が上側下側とも２箇所設定しているが、これは理解を容易にするために単純化して例示しているだけで、実際的には、巻取り形状を如何に設定するかに依存し、停留させたりアナログ的に徐々に変動させたりして、好ましく振幅制御するものである。
【００１９】
そして、ここで注目すべきは、法線棒16を境にして下側と上側、図６ならびに図７では左側と右側という表現にもなるが、巻取りドラム13の回転に関連して、それぞれのサイドへ交互に移行しながら巻き構造が形成されることである。
【００２０】
次に注目すべきは、サイドを変えるタイミングについてである。本実施例の場合、大雑把にいうなら2回転ごとということである。しかし、より細密にトラバース案内することで、よりバランスのいい巻き構造が形成できる。言い換えると、単に２回転毎というなら巻取りドラム13の特定した箇所で交差を繰り返すことになり、形成される巻き構造がバランスを欠いてしまう。従って、本実施例では18で指す交差角度という概念を加え、より分散的になるようにトラバース案内することを提案する。言い換えると、平均値がそうであっても毎回値を所定のルールに則ってプラス側とマイナス側に分散するような巻き構造を提案するものである。そうすれば、バンド線の交差が分散されて偏りの少ない巻き構造を形成した実施例を提供することができる。
【００２１】
更に、注目すべきは上下のトラバース距離、言い換えると巻き始めから終了までの振幅制御に関すことである。これはバンド線10の幅ならびに巻取り幅に関連する要素であるが、図示したようなドーナツ形状に巻き取ることを指向するなら、巻取り径の大なる箇所への案内より小なる箇所への案内を優先するというロジックで振幅制御する。尚、ラグビーボール状やスイカ形状で成るドーナツ形状を成す実施例を提供することも可能であり、その場合はそれに応じたロジックに従って振幅制御をして、設定した巻き構造を形成する。尚、巻き形状に関わらず、基本的な構成要件を具備してさえおれば、ねじれてこないという効果は維持されることは言うまでもない。
【００２２】
次に、法線棒の両側へ移行して振り分ける回転数について付記する。
例えば、図８に係る実施例の場合、平均２回転ごとに移行する線図を例示したが、必ずしも一貫して平均２回転を維持する必要はない。巻き始めから巻き終りまでを、何層かに分け、層が変わる時点で前記平均回転数を変更してもよい。切替わる場所で生じる差は、散在的であり、多くの部分で同数乃至ほぼ同数という構成が維持されれば足りる。要は、必ずしも厳格一致である必要はなく、用途的にも許容される範囲は広い。尚、平均1回転毎に移行して巻取ることで形成される構造を持つ実施例もあれば、２回転毎、３回転毎、あるいは10回転毎という風に、移行するまでの巻取り回数は、目的に応じて設計することができる。更に、前記した通り設定した層単位で混在させることも可能である。
【００２３】
また、図1に注目すれば、外周面のバンド線は、見た目にも、図９の従来品に近い状態で巻かれている。一方、図７で図示した巻取り途中のものは、バンド線が傾斜して交差している箇所が目立つ。即ち、図1の実施例では、巻取り終盤部分は巻取り形状を優先することで、上下（左右）巻取り回数一致の原則を逸脱して構成することもあることを図示表現している。即ち、巻取り形状を優先するとか、他の機能要素を優先する場合に、必要に応じて前記した原則を逸脱して構成される実施例もあることを明記しておく。例えば、交互３回巻きを維持してきた後、一方側だけ10回巻きし、再び交互３回に戻す場合などであって、本願ではこうした原則逸脱箇所の介在も許容する。尚、このような実施例では、使用途中にねじりが解消されない部分が出てくるが、係る利用分野からして容認されるものである。
【産業上の利用可能性】
【００２４】
以上の通り、本発明農業用ハウスバンドは引き出してもねじれてこない画期的なものであり、従来品の欠点を払拭する。従って、手作業中心の農業分野に於いて、その効果は絶賛され、作業負担の軽減ならびに農業の発展に貢献すること確実である。
【符号の説明】
【００２５】
1・・・本願ハウスバンド、2・・・取出し端、3・・・巻き終り端、4・・・パッキングフィルム、5・・・結束バンド、6・・・横ミシン目、7・・・縦ミシン、8・・・取出し口、9・・・舌片切込、10・・・バンド線、11・・・矢印、12・・・回転軸、13・・・巻取りドラム、14・・・振幅、15・・・ドラム1回転、16・・・法線棒、17・・・原点マーク、18・・・交差寸法、20・・・よじれ、21・・・従来のバンド、22・・・取出し端、23・・・巻取り終端・・・である。
【図１】
2016111966.tif 000003
【図２】
2016111966.tif 000004
【図３】
2016111966.tif 000005
【図４】
2016111966.tif 000006
【図５】
2016111966.tif 000007
【図６】
2016111966.tif 000008
【図７】
2016111966.tif 000009
【図８】
2016111966.tif 000010
【図９】
2016111966.tif 000011
【図１０】
2016111966.tif 000012